(57)【特許請求の範囲】
【請求項１】
建物の屋根部の下側に、屋根裏天井部が設置された屋根裏天井構造であって、
前記屋根裏天井部が、前記建物の屋根部を構成する屋根梁の下面に沿って当接固定された野縁と、該野縁の下面側に取付けられた天井面材とを備えると共に、
前記野縁が、屋根梁の下面と等しい角度の上面を有すると共に、天井面材の取付勾配と等しい角度の下面を有することを特徴とする屋根裏天井構造。
【請求項２】
前記屋根部の勾配と前記屋根裏天井部の勾配とに合わせて、前記野縁を、上面と下面とが非平行な非平行材としたことを特徴とする請求項１記載の屋根裏天井構造。
【請求項３】
前記屋根部の勾配と前記屋根裏天井部の勾配とに合わせて、前記野縁を上面と下面とが平行な平行材としたことを特徴とする請求項１記載の屋根裏天井構造。
【請求項４】
前記野縁における、取付時に下側に位置する端面が、取付状態で建物のほぼ垂直な壁面に対して当接可能な傾斜面とされたことを特徴とする請求項１ないし請求項３のいずれか１項に記載の屋根裏天井構造。
【請求項５】
前記屋根梁と前記野縁との側面間に、屋根梁に対して野縁を本固定可能な固定用面材が設けられたことを特徴とする請求項１ないし請求項４のいずれか１項に記載の屋根裏天井構造。
【請求項６】
前記野縁の側部で且つ前記天井面材の上部に、断熱材を配したことを特徴とする請求項１ないし請求項５のいずれか１項に記載の屋根裏天井構造。
【請求項７】
前記建物が、予め工場で製造された複数の建物ユニットを建築現場で組合せることによって構築されるユニット建物であり、前記屋根裏天井部が、改築時にユニット建物のうちの屋根ユニットの内部に設けられたことを特徴とする請求項１ないし請求項６のいずれか１項に記載の屋根裏天井構造。
【請求項８】
建物の屋根部の下側に、請求項１ないし請求項７のいずれか１項に記載の屋根裏天井部を設置する屋根裏天井設置方法であって、
前記建物の屋根部を構成する屋根梁の下面に沿って、屋根裏天井部を構成する野縁を当接状態で固定し、該野縁の下面側に屋根裏天井部の天井面材を取付けると共に、
前記野縁に、屋根梁の下面と等しい角度の上面を有すると共に、天井面材の取付勾配と等しい角度の下面を有するものを用いることを特徴とする屋根裏天井設置方法。
【請求項９】
前記野縁を、仮吊具を用いて屋根梁に仮固定し、屋根梁に野縁を、固定用面材を用いて本固定し、本固定後、前記仮吊具を撤去してから、断熱材と天井面材とを取付けることを特徴とする請求項８記載の屋根裏天井設置方法。
【発明の詳細な説明】
【技術分野】
【０００１】
この発明は、屋根裏天井構造および屋根裏天井設置方法に関するものである。
【背景技術】
【０００２】
既設の建物の屋根裏に対し、例えば、改築によって後から新たにロフトを作ることなどが行われている。そして、新たにロフトを設置するのに伴って、建物の屋根の下側には屋根裏天井部が適宜設置される。
【０００３】
図５は建物の新築時に、同時に上記屋根裏天井部を設ける状態を示す斜視図であり、図６は既設の建物の屋根裏に対して後から新たに屋根裏天井部を設置する状態を示す部分拡大側面図である。
【０００４】
即ち、図５のように新築時に同時に設ける場合には、屋根裏天井部１は、建物３の屋根４の下方に木材を逐次組付けて行くことにより、屋根４から独立したものとして、段階的に構築されて行くのに対し、図６の改築時に新たに追加する場合には、屋根裏天井部１は、改築現場にて、先ず傾斜天井パネル２を組立て、この傾斜天井パネル２を、建物３の屋根４の下側に吊木５ａや腹起し５ｂなどの吊下固定具５を用いて吊下固定することなどによって、一気に形成するようにしていた。
【０００５】
そして、屋根４の下側への傾斜天井パネル２の吊下固定後に、傾斜天井パネル２に対して、図示しない断熱材や天井面材が取付けられる。
【０００６】
なお、上記と同様のことは、例えば、特許文献１に開示されている。
【先行技術文献】
【特許文献】
【０００７】
【特許文献１】特許第３８１９５４３号公報
【発明の概要】
【発明が解決しようとする課題】
【０００８】
しかしながら、上記従来の改築による屋根裏天井部１には、以下のような問題があった。
【０００９】
即ち、屋根裏天井部１を、主に傾斜天井パネル２などのパネル部材を用いて構成するようにしたことにより、改築現場で傾斜天井パネル２を作ったり、その後、傾斜天井パネル２を持上げて吊下固定したりするのに、かなりの手間や工数を要すると共に、かなりの時間を要していた。また、傾斜天井パネル２は、かなり大きくて重いものとなるので、取扱いが難しく、また、屋根裏天井部１の重量を重くする原因にもなっていた。
【００１０】
更に、傾斜天井パネル２を設置した後にも、傾斜天井パネル２に取付けられる断熱材に対して、上記した吊下固定具５との干渉を防止するための加工（例えば、切欠加工など）を行う必要があるため、断熱材の加工に手間がかかっていた。
【課題を解決するための手段】
【００１１】
本発明は、建物の屋根部の下側に、屋根裏天井部が設置された屋根裏天井構造であって、前記屋根裏天井部が、前記建物の屋根部を構成する屋根梁の下面に沿って当接固定された野縁と、該野縁の下面側に取付けられた天井面材とを備えると共に、前記野縁が、屋根梁の下面と等しい角度の上面を有すると共に、天井面材の取付勾配と等しい角度の下面を有することを特徴とする。
【発明の効果】
【００１２】
本発明によれば、上記構成によって、施工性や作業安全性を大幅に向上したり、施工時間を大幅に短縮したりすることができるようになる。また、屋根裏天井部の軽量化や構造の簡略化を図ることが可能となる。更に、屋根梁に対して野縁を取付けるだけで、容易に天井面材の取付勾配を出すことが可能となる。
【図面の簡単な説明】
【００１３】
【図１】本発明の実施例にかかる既設の建物の一例を示す正面図である。
【図２】図１の屋根部を示す正面図（部分拡大図）である。
【図３】図１の野縁（の側面形状および左右端面形状）を示す図である。
【図４】野縁の固定状態を示す図である。
【図５】建物の新築時に同時に屋根裏天井部を設ける状態を示す斜視図であり、
【図６】既設の建物の屋根裏に対し後から新たに屋根裏天井部を追設する状態を示す部分拡大側面図である。
【発明を実施するための形態】
【００１４】
以下、本発明を具体化した実施例を、図面を用いて詳細に説明する。
【実施例】
【００１５】
＜構成＞以下、構成について説明する。
【００１６】
図１は既設の建物の一例を示している。
【００１７】
この建物１１は、下階１２と、上階１３と、屋根部１４とを備えている。下階１２と上階１３との間には、上下階間隔壁として、図示しない下階天井部と上階床部とが設けられている。また、上階１３と屋根部１４との間には、上階屋根間隔壁として、図示しない上階天井部が設けられている。そして、屋根部１４の内部には、屋根裏（空間）が形成される。この屋根裏の空間は、上階天井部と、この上階天井部の上面にほぼ沿って設けられる断熱材層とによって居室空間から遮断されている。なお、建物１１の構成は、これに限るものではない。
【００１８】
この場合、建物１１はどのようなものであっても良いが、好ましくは、ユニット建物１１Ａとする。ユニット建物１１Ａについては後述する。
【００１９】
図２は、上記した屋根部１４を示す正面図である。以下、図２を主に参照する。
【００２０】
屋根部１４は、その中央部分の上部に、屋根トラス１５を有している。この屋根トラス１５は、建物１１の屋根部１４（切妻屋根）の頂部形状を構成可能なものであり、少なくとも一本の底辺材１５ａと二本の斜辺材１５ｂとを有する二等辺三角形状の木組構造物とされている。また、屋根部１４は、その両側部分の上部に、屋根部１４の傾斜を構成可能な斜めの屋根梁１６（垂木）を有している。この屋根梁１６は、上記した屋根トラス１５を構成する斜辺材１５ｂと直線状に連続するよう設けられている。この屋根梁１６は、上面と下面とが平行な側面視平行形状の平行材によって構成されている。そして、上記した屋根部１４には、特に図示しないが、上記した屋根梁１６や斜辺材１５ｂと同様の屋根梁等が、紙面と垂直な方向に所要の間隔を有して複数本平行に設けられている。なお、屋根梁１６と斜辺材１５ｂとの間には、一対の横部材２８が介在されている。この横部材２８は、後述する屋根ユニット１４ａ，１４ｂの境界部分に設置される境界部材である。この場合、横部材２８は、その下端部が、屋根梁１６の下面よりも下方に延長されている。
【００２１】
そして、このような既設の建物１１の屋根裏に対して、後から新たにロフト１７（屋根裏部屋）を作るなどの改築を行うようにする。この場合、ロフト１７は、最も大きい高さ寸法が得られるように、屋根部１４中央における屋根トラス１５が設置された部分に設けるようにしている。また、ロフト１７の構築の際には、上階天井部の少なくとも一部が取外されることになる。これにより、屋根裏の少なくとも上階天井部および断熱材層が取外された部分が、一時的に断熱機能が失われた状態になると共に、屋根部１４の内部構造が露出された状態となる。
【００２２】
この屋根部１４中央に後から新たに設けられるロフト１７は、床部１８と、この床部１８の周縁部を取り囲むように立設される壁部１９とを備えている。このうち、一方の壁部１９については腰高のものとされている（腰高壁部１９ａ）。この腰高壁部１９ａの一部には出入口１９ｂとなる切欠部などが形成されている。
【００２３】
そして、腰高壁部１９ａ側の屋根部１４の下側には、屋根梁１６を隠すなどのための屋根裏天井部２１が設置される。この屋根裏天井部２１は、この場合、屋根部１４よりも緩い勾配で、しかも、上記した出入口１９ｂに対する必要な出入高さが確保可能な角度に構成されている。なお、屋根裏天井部２１は、上記した必要な出入高さが確保できるのであれば、屋根部１４より急な勾配のものとしても、屋根部１４と同じ勾配のものとしても良い。
【００２４】
以上のような構成に対し、この実施例では、以下のような構成を備えるようにする。
【００２５】
（構成１）
屋根裏天井部２１が、建物１１の屋根部１４を構成する屋根梁１６の下面に沿って当接固定された野縁２２（屋根裏天井部後付用野縁）と、この野縁２２の下面側に取付けられた天井面材２３とを備えるようにする。そして、上記野縁２２を、図３に示すように、屋根梁１６の下面と等しい角度の上面２２ａを有すると共に、天井面材２３の取付勾配と等しい角度の下面２２ｂを有するものとする。
【００２６】
ここで、上記した野縁２２は、上記した屋根トラス１５の底辺材１５ａに達する長さの長尺一本物とすることもできるが、重量が大きくなり過ぎて取扱性が悪くなるのを防止するため、および、屋根梁１６と屋根トラス１５の斜辺材１５ｂとの間に介在される上記した横部材２８に対する干渉を防止するために、上記した横部材２８の手前側までの長さとしている。そして、野縁２２の上端部と屋根トラス１５の底辺材１５ａとの間には、継足し用の別の野縁２４が設けられている。この別の野縁２４は、上記した横部材２８が、屋根梁１６の下面よりも下方に突出するよう延長されているため、横部材２８と干渉しないように、野縁２２の上端部よりも高さ寸法の小さい平行材とされている。この別の野縁２４は、その下面を、野縁２２の下面２２ｂと面一に連なるようにして、上記した横部材２８の下部空間と腰高壁部１９ａの上部空間との間を通されている。
【００２７】
なお、野縁２２を上記した屋根トラス１５の底辺材１５ａに達する長さの長尺一本物とする場合には、野縁２２の上面に、上記横部材２８との干渉を避けるための切欠部を設けるようにする。また、上記横部材２８がない場合（即ち、建物１１がユニット建物１１Ａではない場合）には、長尺一本物とした野縁２２の上面には上記切欠部は必要ない。或いは、上記別の野縁２４の上面を、野縁２４の上面と面一にすることもできる。
【００２８】
上記した野縁２２および継足し用の別の野縁２４は、屋根裏天井部２１を構成する部分における、上記図示しない平行な屋根梁等のそれぞれに対しても個別に取付けるようにする。
【００２９】
そして、上記した天井面材２３は、野縁２２や別の野縁２４の下面に対して直接当接固定される。天井面材２３の継目部分には、受木桟２７が設けられる。
【００３０】
（構成２）
屋根部１４の勾配と屋根裏天井部２１の勾配とに合わせて、上記した野縁２２を、上面と下面とが非平行な非平行材とする。
【００３１】
より具体的には、屋根裏天井部２１を屋根部１４よりも緩い勾配とする場合には、野縁２２に、屋根トラス１５（上方）へ向かって高さ寸法（設置状態における上下方向の寸法）が徐々に大きくなる（或いは、上面と下面とが上方へ向かって漸拡する）側面視非平行形状の非平行材を用いるようにする。
【００３２】
反対に、屋根裏天井部２１を屋根部１４よりも急な勾配とする場合には、野縁２２に、屋根トラス１５へ向かって高さ寸法が徐々に小さくなる（或いは、上面と下面とが上方へ向かって漸減する）側面視非平行形状の非平行材を用いるようにする。
【００３３】
この実施例の場合には、屋根裏天井部２１が屋根部１４よりも緩い勾配となっているので、屋根トラス１５へ向かって漸拡する非平行材を用いている。
【００３４】
（構成３）
または、屋根部１４の勾配と屋根裏天井部２１の勾配とに合わせて、上記野縁２２を、上面と下面とが平行な平行材とする。
【００３５】
即ち、屋根裏天井部２１を屋根部１４と同じ勾配にする場合には、野縁２２に、上下面が平行で屋根トラス１５へ向かって高さ寸法が一定となる側面視平行形状の平行材を用いるようにする。
【００３６】
（構成４）
上記した野縁２２における、取付時に下側に位置する端面２２ｃが、取付状態で建物１１のほぼ垂直な壁面に対して当接可能な傾斜面とされる。
【００３７】
ここで、例えば、上記した野縁２２は、上記したように上側へ向かって高さ寸法が徐々に大きくなる非平行材となっているので、図３に示すように、下面２２ｂと、取付時に上側に位置する端面２２ｄ（上端面）とが直角になされると共に、上面２２ａと、取付時に下側に位置する端面２２ｃ（下端面）とが、下面２２ｂや端面２２ｄに対して傾斜されたものとされている。
【００３８】
（構成５）
図２に示すように、上記屋根梁１６と野縁２２との側面間に、屋根梁１６に対して野縁２２を本固定可能な固定用面材２５が設けられる。
【００３９】
ここで、固定用面材２５は、屋根梁１６および野縁２２の側面と平行な面材とされる。この固定用面材２５は、屋根梁１６と野縁２２との側面間に跨がって設置される。固定用面材２５には、薄くて強度の高い金属板やまたは木板などが使用される。固定用面材２５による取付けには、釘やネジなどの固定具が用いられる。また、固定用面材２５との間に隙間ができないようにするために、野縁２２は、屋根梁１６と同じ板厚にして、両者の側面が面一となるように設置する。また、別の野縁２４についても、上記と同様にして、野縁２２の上端部と屋根梁１６との間や、底辺材１５ａなどに対し、固定用面材２５で本固定する。
【００４０】
この場合、固定用面材２５は長方形状とされており、その長辺を、屋根梁１６の下面と野縁２２の上面との合せ面や、野縁２２の上端面（端面２２ｄ）と別の野縁２４の下端面との突当面や、別の野縁２４の上端面と屋根トラス１５の底辺材１５ａの下面との合せ面と平行な向きに向けて取付けるようにしている。なお、野縁２２の上端面（端面２２ｄ）と別の野縁２４の下端面との突当面については、屋根梁１６も含めて同時に固定できるようにするために固定用面材２５の向きを縦にしている。
【００４１】
（構成６）
野縁２２の側部で且つ天井面材２３の上部に、断熱材２６を配する。
【００４２】
ここで、断熱材２６は、隣接する野縁２２の側面間に介装される。断熱材２６には、例えば、グラスウールや、フェノールフォーム断熱材などが用いられる。なお、断熱材２６は、上記以外のものを使用しても良い。また、特に図示しないが、同様の断熱材２６は、隣接する野縁２４の側面間にも介装される。
【００４３】
（構成７）
図１に示すように、建物１１が、予め工場で製造された複数の建物ユニットを建築現場で組合せることによって構築されるユニット建物１１Ａであり、屋根裏天井部２１が、改築時にユニット建物１１Ａのうちの屋根ユニット１４ａ〜１４ｃの（少なくともいずれかの）内部に設けられるようにする。
【００４４】
ユニット建物１１Ａは、予め工場で製造された複数の建物ユニットを建築現場で組立てることによって構築されるものである。この場合、下階１２は、３個の建物ユニット（下階ユニット１２ａ〜１２ｃ）を横に並べることによって構成されている。また、上階１３は、３個の建物ユニット（上階ユニット１３ａ〜１３ｃ）を横に並べることによって構成されている。屋根部１４は、３個の建物ユニット（屋根ユニット１４ａ〜１４ｃ）を横に並べることによって構成されている。なお、これらの建物ユニット（下階ユニット１２ａ〜１２ｃ、上階ユニット１３ａ〜１３ｃ、屋根ユニット１４ａ〜１４ｃ）は、上下方向に対して整然と積重ねられた状態とされている。また、下階ユニット１２ａ〜１２ｃおよび上階ユニット１３ａ〜１３ｃは、直方体状のものとされている。これに対し、屋根ユニット１４ａ〜１４ｃは、屋根の形状を３分割した形状とされている。
【００４５】
上記した屋根トラス１５は、中央の屋根ユニット１４ｂの上部に設けられている。また、上記した屋根梁１６は、両端の屋根ユニット１４ａ，１４ｃの上部に設けられている。上記したロフト１７は、中央の屋根ユニット１４ｂの内部に設けられる。そして、上記した屋根裏天井部２１は、主に、腰高壁部１９ａの側の屋根ユニット１４ａの部分に設けられる。上記した野縁２２は、１つの屋根ユニット１４ａの内部に納まる最大の長さか、または、それよりも若干短い程度の長さを有する長尺の一本物とされている。但し、野縁２２の長さは、これに限るものではない。
【００４６】
なお、屋根裏天井部２１は、上記以外の屋根ユニット１４ｃの内部に対して設けることもできる。
【００４７】
以上は、屋根裏天井構造の構成である。
【００４８】
次に、建物１１の屋根部１４の下側に、上記した屋根裏天井部２１を設置する屋根裏天井設置方法の構成について説明する。
【００４９】
（構成８）
建物１１の屋根部１４を構成する屋根梁１６の下面に沿って、屋根裏天井部２１を構成する上記のような野縁２２を当接状態で固定し、この野縁２２の下面２２ｂ側に屋根裏天井部２１の天井面材２３を取付けるようにする。この際、上記野縁２２に、屋根梁１６の下面と等しい角度の上面２２ａを有すると共に、天井面材２３の取付勾配と等しい角度の下面２２ｂを有するものを用いるようにする。
【００５０】
（構成９）
そして、図４に示すように、上記した野縁２２を、仮吊具３１を用いて屋根梁１６に仮固定した後に、上記した固定用面材２５を用いて屋根梁１６に野縁２２を本固定し、本固定後、仮吊具３１を撤去してから、上記した断熱材２６と天井面材２３とを取付けるようにする。
【００５１】
ここで、上記した仮吊具３１は、吊木３１ａや腹起し３１ｂなどによって構成される。
【００５２】
＜作用効果＞この実施例によれば、以下のような作用効果を得ることができる。
【００５３】
（作用効果１）
屋根裏天井部２１が、建物１１の屋根部１４を構成する屋根梁１６の下面に沿って当接固定された野縁２２と、野縁２２の下面２２ｂ側に取付けられた天井面材２３とを備えることにより、即ち、改築によって新たに追設する屋根裏天井部２１を、既存の屋根梁１６に対し、野縁２２を介して天井面材２３を取付けるものとしたことにより、従来のように、建物１１の屋根部１４の下に改築現場で組立てた大きくて重い傾斜天井パネルを吊下固定する場合と比べて、傾斜天井パネルを作る工数や、傾斜天井パネルを持上げて吊下固定するなどの手間を削減して、施工性や作業安全性を大幅に向上したり、施工時間を大幅に短縮したりすることができるようになる。しかも、新たに追加された屋根裏天井部２１を、既存の屋根部１４を最大限に利用して作ることができると共に、屋根部１４と一体性の高いものとすることができる。また、重量物である傾斜天井パネルを用いない分だけ屋根裏天井部２１の軽量化や構造の簡略化を図ることが可能となる。
【００５４】
また、野縁２２を、屋根梁１６の下面と等しい角度の上面２２ａを有すると共に、天井面材２３の取付勾配と等しい角度の下面２２ｂを有するものとしたことにより、屋根梁１６に対して野縁２２を取付けるだけで、容易に天井面材２３の取付勾配を出すことが可能となる。
【００５５】
（作用効果２）
屋根部１４の勾配と屋根裏天井部２１の勾配とに合わせて、上記した野縁２２を、上面と下面とが非平行な非平行材とすることにより、屋根部１４の勾配に拘らず、屋根裏天井部２１の勾配を任意に設定することができる。
【００５６】
特に、野縁２２に、屋根トラス１５（上方）へ向かって高さ寸法（設置状態における上下方向の寸法）が徐々に大きくなる（或いは、上面と下面とが上方へ向かって漸拡する）側面視非平行形状の非平行材を用いることにより、屋根裏天井部２１を屋根部１４よりも緩い勾配とすることができる。
【００５７】
反対に、野縁２２に、屋根トラス１５へ向かって高さ寸法が徐々に小さくなる（或いは、上面と下面とが上方へ向かって漸減する）側面視非平行形状の非平行材を用いることにより、屋根裏天井部２１を屋根部１４よりも急な勾配とすることができる。
【００５８】
この実施例の場合には、野縁２２に、屋根トラス１５へ向かって漸拡する非平行材を用いて、屋根裏天井部２１が屋根部１４よりも緩い勾配となるようにしている。
（作用効果３）
または、屋根部１４の勾配と屋根裏天井部２１の勾配とに合わせて、上記した野縁２２を、上面と下面とが平行な平行材とすることにより、屋根部１４の勾配に合わせて、屋根裏天井部２１の勾配を設定することができる。
【００５９】
即ち、野縁２２に、上下面が平行で屋根トラス１５へ向かって高さ寸法が一定となる側面視平行形状の平行材を用いることにより、屋根裏天井部２１を屋根部１４と同じ勾配にすることができる。
【００６０】
（作用効果４）
野縁２２における、取付時に下側に位置する端面２２ｃに、取付状態で建物１１のほぼ垂直な壁面に対して当接可能な傾斜面を形成したことにより、この端面２２ｃを建物１１側面のほぼ垂直な壁面に当接するだけで、建物１１に対する野縁２２の取付姿勢等が定まることになるので、建物１１に対する野縁２２の位置決めや取付角度の調整を容易化すると共に、天井面材２３の取付勾配をより正確に出すことができるようになる。
【００６１】
（作用効果５）
屋根梁１６と野縁２２との側面間に、屋根梁１６に対して野縁２２を本固定可能な固定用面材２５が設けられたことにより、両者を強固に取付けると共に、野縁２２を固定用面材２５によって補強することができる。また、本固定に固定用面材２５を用いることにより、固定用面材２５は吊木３１ａなどの角材に比べて板厚が薄いので、野縁２２の側方からの張出量を小さくして、野縁２２の側部に設置される断熱材２６に対する加工をなくすことができる。即ち、断熱材２６を弾性変形させる程度で対応可能となる。
【００６２】
（作用効果６）
野縁２２の側部で且つ天井面材２３の上部に、断熱材２６を配したことにより、屋根裏天井部２１に断熱性を持たせることが可能となる。以て、既存の上階天井部を取外したことで、屋根部１４に断熱構造がなくなってしまうのを防止することができる。
【００６３】
（作用効果７）
建物１１が、予め工場で製造された複数の建物ユニットを建築現場で組合せることによって構築されるユニット建物１１Ａであり、屋根裏天井部２１が、改築時にユニット建物１１Ａのうちの屋根ユニット１４ａ〜１４ｃの（少なくともいずれかの）内部に設けられたことにより、建物ユニットの屋根ユニット１４ａ〜１４ｃに対して上記した屋根裏天井部２１を後から簡単に作ることが可能となる。
【００６４】
（作用効果８）
建物１１の屋根部１４を構成する屋根梁１６の下面に沿って、屋根裏天井部２１を構成する野縁２２を当接状態で固定し、野縁２２の下面２２ｂ側に屋根裏天井部２１の天井面材２３を取付けることにより、上記と同じ作用効果を得ることができる。
【００６５】
（作用効果９）
野縁２２を、仮吊具３１を用いて屋根梁１６に仮固定し、屋根梁１６に野縁２２を、固定用面材２５を用いて本固定し、本固定後、仮吊具３１を撤去してから、断熱材２６と天井面材２３とを取付けることにより、野縁２２は、固定用面材２５によって本固定されるので、屋根梁１６に対する野縁２２の固定を、より簡単で且つ強固なものとすることができる。また、固定用面材２５による本固定後、仮吊具３１を撤去してから、断熱材２６と天井面材２３とを取付けるようにしたことにより、仮吊具３１との干渉を防止するために断熱材２６を加工する必要をなくすことができ、断熱材２６を加工せずにそのまま使用することができるので、断熱材２６の施工性を向上することができる。
【００６６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６７】
１１  建物
１１Ａ  ユニット建物
１４  屋根部
１４ａ〜１４ｃ  屋根ユニット
１６  屋根梁
２１  屋根裏天井部
２２  野縁
２２ａ  上面
２２ｂ  下面
２２ｃ  端面（傾斜面）
２３  天井面材
２５  固定用面材
２６  断熱材
３１  仮吊具
【要約】
【課題】主に、施工性や作業安全性を大幅に向上し、施工時間を大幅に短縮すると共に、構造の簡略化や軽量化を図り得るようにする。
【解決手段】既存の建物１１の屋根部１４の下側に、改築によって屋根裏天井部２１が設置された屋根裏天井構造に関する。改築によって追加された屋根裏天井部２１が、建物１１の屋根部１４を構成する屋根梁１６の下面に沿って当接固定された野縁２２と、野縁２２の下面２２ｂ側に取付けられた天井面材２３とを備える。そして、野縁２２が、屋根梁１６の下面と等しい角度の上面２２ａを有すると共に、天井面材２３の取付勾配と等しい角度の下面２２ｂを有するものとされる。
【選択図】図２【図１】
0004769340.tif 000002
【図２】
0004769340.tif 000003
【図３】
0004769340.tif 000004
【図４】
0004769340.tif 000005
【図５】
0004769340.tif 000006
【図６】
0004769340.tif 000007